(57)【要約】      （修正有）【課題】靴を履きかつ締め付けるのが容易な、外側ゲートルの防水ジッパーの異常なかみ合わせを防止する登山靴を提供する。【解決手段】ユーザの足および足首を実質的にふくらはぎの高さまで収容する形状のバンプと、ユーザの足の裏側を覆うようにバンプの下側の一部に動かないように固定されたソール３と、バンプの靴胴１７の頂部まで、バンプの外側面を実質的にかすめながらバンプを完全に覆う、実質的にソックス形状の外側ゲートル１１と、ユーザが下に置かれたバンプに届いてゲートルを開放することができるようにゲートルに沿って伸長するジッパー１２と、を備える登山靴であって、ジッパーは、ゲートルの正面部１３付近で始まり、ゲートルの靴胴の上部開口部２１で終了する実質的に螺旋形状の曲線経路に従って、ゲートルに沿って伸長し、ストレッチの最後で、靴胴部の軸線Ａの周りに実質的に螺旋軌道に従う。【選択図】図１
2015073906.tif 000002
【特許請求の範囲】
【請求項１】
ユーザの足および足首を実質的にふくらはぎの高さまで収容する形状のバンプと、
前記ユーザの足の裏側を覆うように前記バンプの下側の一部に動かないように固定されたソールと、
前記バンプの靴胴の頂部まで、前記バンプの外側面を実質的にかすめながら前記バンプを完全に覆う、実質的にソックス形状の外側ゲートルと、
前記ユーザが下に置かれた前記バンプに届いて前記ゲートルを開放することができるように前記ゲートルに沿って伸長するジッパーと、
を備える登山靴であって、
前記ジッパーは、前記ゲートルの正面部付近で始まり、前記ゲートルの靴胴の上部開口部で終了する実質的に螺旋形状の曲線経路に従って、前記ゲートルに沿って伸長し、ストレッチの最後で、前記靴胴部の軸線Ａの周りに実質的に螺旋軌道を有する、ことを特徴とする登山靴。
【請求項２】
前記ジッパーは、前記ゲートルの正面部の裏側で始まり、前記ゲートルの靴胴部の上方開口部で終了する実質的に螺旋形状の曲線経路に沿って伸長し、ストレッチの最後で、前記ゲートルの前記靴胴部の背面部と交差する靴胴の軸線Ａの周りに実質的に螺旋軌道を有する、ことを特徴とする請求項１に記載の登山靴。
【請求項３】
前記ジッパーは、前記靴胴部の前記背面部および前記内側部を連続して横切る実質的に螺旋状の軌道に従って、前記靴胴部の前記上方開口部まで前記ゲートルの前記靴胴部の周りに巻き付く、ことを特徴とする請求項２に記載の登山靴。
【請求項４】
前記ジッパーは前記靴胴の上部開口部まで前記ゲートルの靴胴の周りに巻き付き、前記靴胴の背面部、内面部および最後に正面部と連続して交差し、前記靴胴部の前記正面部の前記靴胴部の上方開口部のエッジ部において終了する実質的に螺旋の軌道に従う、ことを特徴とする請求項３に記載の登山靴。
【請求項５】
前記ジッパーは、前記バンプの前記靴胴の上部エッジの実質的な高さにおいて、前記ゲートルの前記靴胴の背面部に到達する、ことを特徴とする請求項１から４のいずれか一項に記載の登山靴。
【請求項６】
前記ゲートルは防水である、ことを特徴とする請求項１から５のいずれか一項に記載の登山靴。
【請求項７】
前記ジッパーは防水ジッパーである、ことを特徴とする請求項１から６のいずれか一項に記載の登山靴。
【請求項８】
前記ゲートルの前記靴胴部は前記ユーザの脚に沿って前記バンプの靴胴の頂部エッジを越えて伸長する、ことを特徴とする請求項１から７のいずれか一項に記載の登山靴。
【請求項９】
前記ゲートルは、甲の上側部および／または前記ゲートルの靴胴の正面部に配置された正面弾性挿入部を有する、ことを特徴とする請求項１から８のいずれか一項に記載の登山靴。
【請求項１０】
前記ゲートルは前記ソールの外周エッジおよび前記バンプの下方部に、動かないようにかつ防水して固定されている、ことを特徴とする請求項１から９のいずれか一項に記載の登山靴。
【請求項１１】
前記ゲートルは、柔軟な材料から形成され、前記ジッパーが前記靴胴部の上部開口部に到達する地点の付近で前記ゲートルの靴胴に固定された板状突起パッドを有し、前記板状突起パッドは、前記ジッパーのスライダーと前記ユーザの脚との間に挿入される、ことを特徴とする請求項１から１０のいずれか一項に記載の登山靴。
【請求項１２】
前記バンプは縦長スリットを有し、前記縦長スリットは、足の指先領域からバンプの靴胴の上部開口部まで前記バンプの正面部に沿って伸長し、
当該登山靴はさらに、手動で動作可能な上部ファスナーシステムを備え、前記上部ファスナーシステムは前記バンプの前記縦長スリットを選択的に閉止／締め付けることができるように構成されており、ユーザの脚を前記バンプの内部で固定する、ことを特徴とする請求項１から１１のいずれか一項に記載の登山靴。
【請求項１３】
前記上部ファスナーシステムは、前記縦長スリットを縦方向に区切る前記バンプの２つのエッジに沿って配列された連続する複数の靴紐ガイド部材と係合する靴紐を含む、ことを特徴とする請求項１２に記載の登山靴。
【請求項１４】
実質的にソックス形状の内側ライナーを備え、前記内側ライナーは熱絶縁性材料から形成され、前記バンプの靴胴の実質的に頂部まで前記バンプの内部に動かないように挿入されている、ことを特徴とする請求項１から１３のいずれか一項に記載の登山靴。
【請求項１５】
前記内側ライナーは、半硬質構造を有する、ことを特徴とする請求項１４に記載の登山靴。
【発明の詳細な説明】
【技術分野】
【０００１】
本願発明は、登山靴に関する。特に、本願発明は、高山用の登山靴に関する。以下の説明では、一般性を失うことなく適用される。
【背景技術】
【０００２】
周知のように、登山靴は、実質的にユーザのふくらはぎまでの足および足首を収容するように設計されたレザーおよび／または合成繊維を有する。それは、熱的に絶縁された材料にそって配置され、所望の深さを有し、ゴムまたは滑りにくい材料で作られ、ユーザの足の裏側を完全に覆ように、縫合および／または糊付けされてバンプの底に動かないように取り付けられたソールを有する。
【０００３】
高山用の登山靴は防水材料から作られたアウターゲートルを有する。それは、通常はソールの周縁部に直接縫合および／または糊付けされる。それは、靴の頂部までバンプの外側表面を実質的に覆うように形成される。それは、靴の頂部エッジの上でユーザのふくらはぎを締め付ける。
【０００４】
ユーザが容易に履けて、靴を締め付けることができるように、外側ゲートルは、靴の垂直中央面と実質的に部分的に同一面となりつつ、甲の足指領域からゲートルの頂部まで、ゲートルの正面に沿って伸長する防水ジッパーを有する。
【発明の概要】
【発明が解決しようとする課題】
【０００５】
残念ながら、防水ジッパーはバンプの正面に配置されているため、歩く際に、足首に配置されたジッパーの一部が長時間繰り返し折り曲げられ、伸ばされる。それにより、ジッパーに構造的なダメージが与えられる。結果として、靴の内部に水が浸透し、それにともなうさまざまな問題が発生する。
【０００６】
実際、登山用品は、しばしば、靴の内側でさえ数秒で水が凍結するほど寒い空気中で作業するのに使用される。また、靴の内部で形成された氷はユーザの足を低温症および／または凍傷にする。
【０００７】
この問題を解決するべく、いくつかの高山用登山靴の製造業者は、甲の足指で始まり靴胴まで、つまり、距骨の高さまで、バンプの外側に沿ってつづく曲線に従うゲートルに沿って伸長し、最後に、ゲートルの頂部の方向に曲がる防水ジッパーを使用することにした。ジッパーは靴胴の垂直軸線に実質的に平行のままであり、つまり、脛骨に平行なままである。
【０００８】
しかしながら、ゲートルが開いているとき、バンプの一部をユーザがつかむのが困難であるため、この防水ジッパーの構成は、靴を履くときおよび締め付けるときに非常に面倒である。
【０００９】
また、防水ジッパーは、ジッパーの曲率半径が小さいくるぶしに配置された部分に沿ってスライダーが動くことが困難となる。したがって、ジッパー本体に局所的な異常かみ合わせが生じる。
【００１０】
局所的な異常かみ合わせは短時間でジッパーの接続を破壊し、それに伴う多くの問題を生じさせる。
【００１１】
本願発明の目的は、靴を履きかつ締め付けるのが容易な、外側ゲートルの防水ジッパーの異常なかみ合わせを防止する登山靴を提供することである。
【課題を解決するための手段】
【００１２】
上記目的を解決するべく、本願発明に従い、請求項１に記載の登山靴が与えられる。好ましい態様として、請求項１に従属する任意の請求項に従う登山靴が与えられる。
【００１３】
発明のひとつの態様において、本願発明は、登山靴を提供する。当該登山靴は、ユーザの足および足首を実質的にふくらはぎの高さまで収容する形状のバンプと、ユーザの足の裏側を覆うように前記バンプの下側の一部に動かないように固定されたソールと、バンプの靴胴の頂部まで、バンプの外側面を実質的にかすめながらバンプを完全に覆う、実質的にソックス形状の外側ゲートルと、ユーザが下に置かれたバンプに届いてゲートルを開放することができるようにゲートルに沿って伸長するジッパーとを有する。ジッパーは、ゲートルの正面部付近で始まり、ゲートルの靴胴の上部開口部で終了する実質的に螺旋形状の曲線経路に従って、ゲートルに沿って伸長し、ストレッチの最後で、靴胴部の軸線Ａの周りに実質的に螺旋軌道を有することを特徴とする。
【００１４】
本願発明の例示的な実施形態が添付する図面を参照して説明される。
【図面の簡単な説明】
【００１５】
【図１】図１は、明確化のためにいくつかの部品が取り除かれかつ閉じた状態の実施形態にかかる高山用登山靴の斜視図である。
【図２】図２は、明確化のためにいくつかの部品が取り除かれかつ閉じた状態の実施形態にかかる高山用登山靴の斜視図である。
【図３】図３は、図１に示す登山靴の開いた状態の斜視図である。
【発明を実施するための形態】
【００１６】
図１、２および３を参照して、符号１は実施形態にかかる登山靴の全体を示す。本実施形態にかかる登山靴は、４０００から５０００メートル以上の高さの山で使用するのに適している。
【００１７】
登山靴１は、基本的に、好適にレザーおよび／または人口繊維若しくは他の柔軟で防水のシート材料によって形成されたアッパーバンプ２、および、下側ソール３を含む。アッパーバンプ２はユーザの足および足首を、ふくらはぎの高さまで収容するように設計され、好適には熱絶縁材料によって内側が好適に覆われている。下側ソール３は、ゴムまたは他の滑られない弾性材料から形成され、かつ、所望の深さを有し、ユーザの足の裏側を完全に覆うようにバンプ２の底に縫合および／または糊付けされ、動かないように固定される。
【００１８】
図３を参照して、バンプ２は、好適に縦長スリット４を有する。当該縦長スリット４はバンプの正面部分に沿って、好適に、靴の垂直中間面（図示せず）と実質的に同一面となりつつ、甲の指先部分からバンプ２の靴胴６の上部開口部５まで伸長する。スリット４は、ユーザの足がバンプ２の内部に導入するのを容易にするのに十分な程度にバンプ２の幅を広げる。カバー舌革７が好適にゆるくバンプ２の正面の一部に固定されており、靴胴６の頂部までスリット４を完全に閉止するように、実質的に縦長スリット４の全長に沿って縦長スリット４を覆ってバンプ２の内側に伸長する。
【００１９】
従来のもの同様に、バンプ２およびカバー舌革７は、レザーおよび／または合成繊維もしくは好適に防水性の柔軟なシート状材料によって形成される。
【００２０】
また、図示された例において、バンプ２は、靴胴６の上端部がふくらはぎの下端より上でかつふくらはぎの中央部より下側に配置されるように設計するのが好ましい。ただし、これに限定されない。
【００２１】
また、登山靴１は好適に、実質的にソックス形状の内側ライナー８を有する。内側ライナー８は好適には熱絶縁性材料から形成され、バンプ２の内側に靴胴６の実質的に頂部まで移動可能に挿入されており、ユーザの足および脚の下側部分の両方を覆いかつ保護するように設計されている。また、内側ライナー８は、好適に、半硬質構造を有し、柔軟および／または通気性材料によって覆われている。
【００２２】
図示した例において、特に、内側ライナー８は、少なくとも一部が低密度のポリマー材料フォームによって形成されている。
【００２３】
図３を参照し、登山靴１は手動で動作するファスナーシステムを備える。当該ファスナーシステムは、ユーザの脚をバンプ２内またはライナー８内で動かないように固定するべく、バンプ２のスリット４の正面を選択的に閉止し／締め付けることが可能なように構成されている。
【００２４】
図示した例において、特に、バンプファスナーシステムは、多くの靴紐ガイド部材および所望の長さの靴紐９を有する。靴紐ガイド部材は好適に、少なくとも甲の上部領域に、縦長スリット４に沿ってバンプ２の２つのエッジに適当に配置された、多くの靴紐ガイド部材、例えば、多くのループおよび／または小穴および／またはリングおよび／またはフックを有する。靴紐９は、さまざまな靴紐ガイド部材と連続して、縦長スリット４の一方側から他方側へ交互に靴紐ガイド部材を通過して係合し、バンプ２の２つのエッジを互いの方向または逆方向に選択的に引くようにし、その結果、バンプ２をユーザの足に密着させて固定させる。
【００２５】
換言すれば、靴紐９は、バンプ２を密着させるようバンプ２に適当に取り付けられ、ユーザの足を登山靴１の内側で固定する。
【００２６】
また、図示した例において、バンプファスナーシステムは、好適に、調節可能なベルクロファスナーストラップ１０を含む。当該ストラップ１０は、靴胴６の周りを取り巻き、スリット４の端部で長さ方向に靴胴６の２つのエッジを互いの方向にまたは逆方向に引きつけかつ繰り返し締め付け、結果として、靴胴６をユーザのふくらはぎに密着させるように設計されている。
【００２７】
図１、２および３を参照して、さらに、登山靴１は靴胴６までバンプ２の外側表面を実質的にかすめてバンプを完全にカバーする防水外側ゲートル１１と、ユーザが下の置かれたバンプ２に届いてゲートル１１を開放することができるようにゲートル１１に沿って伸長する実質的に防水のジッパー１２を有する。
【００２８】
より詳細には、外側ゲートル１１は靴胴６の頂部までバンプ２の外側面をかすめるように実質的にソックス形状であり、好適にはその後、ユーザの脚に沿って靴胴６の頂部エッジを越えて伸長する。また、好適にはソール３の外周エッジおよび／またはバンプ２の底部に防水でかつ干渉することがないように縫合および／または糊付けによって、直接的に動かないように固定される。
【００２９】
したがって、ゲートル１１はバンプ２の先端をカバーする正面部１３と、バンプ２の背面部分をカバーする背面部１４と、バンプ２の側面、すなわち、足の外側の縦長方向の曲面にそったバンプ２の側面をカバーする側面部１５と、バンプ２の内側面、すなわち、足の中間の縦方向の曲面にそったバンプ２の内側面をカバーする内側面部１６と、バンプ２の靴胴６全体をカバーする実質的に円筒形状で、好適にはユーザの脚に沿って靴胴６の頂部エッジを越えて伸長する靴胴部１７とを有する。
【００３０】
図１および２に示す例において、ゲートル１１は好適には、防水性の人口繊維および／または他の防水性シート材料、さらに好適には防弾、カットプルーフ型の材料から作成される。
【００３１】
好適には、ゲートル１１はさらに、甲の上部および／または靴胴部１７の正面部に、防水性弾性繊維および／または他の防水シート材料から作成される弾性正面挿入部１８を有する。言い換えれば、ゲートル１１の弾性正面挿入部１８は甲の頂部から靴胴部１７の頂部まで伸長する。
【００３２】
付加的に、ゲートル１１はまた、曲面のゴムまたは他の弾性材料から作成され、ゲートル１１の正面部１３をカバーしかつ保護するように配置された正面パッチ１９と、曲面のゴムまたは他の弾性材料から作成され、ゲートル１１の背面部１４をカバーしかつ保護するように配置された背面パッチ２０を備える。パッチ１９、２０は、ゲートルが尖った氷または岩で裂けることを防止し、同時に、ユーザの足を氷または岩の衝撃から保護する。
【００３３】
図１、２および３を参照して、ジッパー１２が、ゲートル１１の正面部１３の裏側から始まり足の指領域に垂直方向に沿った部分を通過し、靴胴部１７の上方開口部２１で終了するように、実質的に螺旋形状の曲線パスにしたがってゲートル１１に沿って伸長し、ストレッチの終わりで、靴胴１７の背面部、すなわち、ゲートル１１の背面部１４と垂直に整列した靴胴部１７の一部を好適に横切る、靴胴１７の垂直軸線Aの周りに実質的螺旋軌道を有する。
【００３４】
好適には、ジッパー１２はさらにバンプ２の靴胴６の頂部エッジにおいて、ゲートル１１の靴胴１７の背面部に達する。
【００３５】
図示した例において、ジッパー１２は靴胴部１７の正面部で好適に終了する実質的に螺旋形状で、曲線の経路に従い、ゲートル１１に沿って伸長する。それは、好適には弾性挿入部１８を囲んだのち、靴胴部１７の上部開口部２１のエッジに到達する前に靴胴部１７の背面部および内側部と連続して交差する。
【００３６】
より詳細には、図１および２を参照して、ジッパー１２は好適には、ゲートル１１の正面部１３付近で始まる実質的に螺旋形状の曲線経路に従い、くるぶしの上に残ったまま、ゲートル１１の外側部１５を横切り、好適には、バンプ２の靴胴６の頂部エッジの高さで靴胴１７の背面部に到着するまで、ゲートルに沿って伸長し、その後、実質的に螺旋状の軌道に従って靴胴部１７の上部開口部２１まで靴胴部１７の周囲を巻いて、靴胴部１７の背面部、内側部最終的に靴胴部１７の正面部と連続して交差し、靴胴部１７の正面部で靴胴部１７の上部開口部２１のエッジで好適に弾性挿入部１８を囲んで終了する。
【００３７】
図１、２および３を参照して、ゲートル１１は好適には、弾性バンド２２を備える。それは、靴胴部１７の上部開口部２１を包囲し、水および／または雪および／または氷の侵入を防止するべくユーザの脚に対して靴胴部１７の上端部を密着して堅く締め付けたままにするように設計されている。
【００３８】
好適には、ゲートル１１は突起した平板形状のパッド２３を有する。それは柔軟材料から作成され、ジッパー１２が靴胴部１７の開口部２１に到達する地点の近傍で、ジッパー１２のスライダー２１とユーザの脚との間に挿入されるように、靴胴部１７に固定されている。
【００３９】
登山靴１の動作は上記説明より容易に導かれる。よって、これ以上の説明を省略する。
【００４０】
実施形態に従うジッパー１２により、多くの利点が得られる。まず、ゲートル１１に沿った防水ジッパー１２の実質的に螺旋形状の経路により、防水ジッパー１２の長さ全体にわたって、防水ジッパー１２の曲率半径の値を品質保証の限界値内に維持することができ、よって、防水ジッパー１２の寿命を最大限に長くすることができる。
【００４１】
また、実施形態に従うゲートル１１上でのジッパー１２の配置により、ユーザはバンプ２に完全かつ容易にアクセスが可能であり、市場に流通している登山靴より、ユーザは素早く履いて、締め付けることができる。ユーザが過酷な自然環境下で作業する際には、これは非常に重要な利点となる。
【００４２】
本願発明の思想および態様から離れることなく、上述した登山靴に対して任意の変更が可能である。
【００４３】
例えば、他の実施形態において、ジッパー１２は、曲線で、実質的に螺旋形状の経路に従いゲートル１１の正面部１３付近に始まり、くるぶしの上に残ったままゲートル１１の外側部１５と交差し、実質的にバンプ２の靴胴６の頂部エッジの高さで靴胴部１７の背面部に到達するまで、ジッパー１２はゲートルに沿って伸長する。その後、ジッパー１２は、靴胴部１７の上部開口部２１まで靴胴部１７の周りに巻かれ、実質的に螺旋形状の経路に従い、靴胴１７の背面部および内側部と連続して交差し、靴胴部１７の内側部において靴胴部１７の上部開口部２１のエッジで終了する。
【００４４】
また、他の実施形態において、内側ライナー８が動かないようにバンプ２と一体的に形成されてもよい。
【００４５】
また、他の実施形態において、バンプ２は、靴胴６の上端部がふくらはぎの下部に配置されるように設計されてもよい。
【図１】
2015073906.tif 000003
【図２】
2015073906.tif 000004
【図３】
2015073906.tif 000005